(57)【要約】      （修正有）【課題】蚊取線香を屋外で使用するための蚊取線香容器カバーを提供する。【解決手段】スチール製の扁平なドーム形状のカバーの外周縁沿いに複数の排煙口を設けてあり、裏面頂部にスペーサーを設けてあり、略ハの字状の横軸が上下に配置され、それぞれの解放端は縦軸により連接され、上側の収束端にはそれぞれ上方へ縦軸が設けてあり、端部より解放方向に横軸を設け固定具と接続し、下側の収束端は、横軸により連接され、下部横軸は縦軸との連接部を支点とした上反角を有し、収束端手前を支点とした返しを有する枠体を形成する懸吊具を前記スペーサーに接続し、蚊取線香容器を中空に保持し、着脱自在に装着出来るようにする。【選択図】図１
2019180380.tif 000002
【特許請求の範囲】
【請求項１】
スチール製の扁平なドーム形状のカバーの外周縁沿いに複数の排煙口を設けてあり、裏面頂部にスペーサーを設けてあり、略ハの字状の横軸が上下に配置され、それぞれの解放端は縦軸により連接され、上側の収束端にはそれぞれ上方へ縦軸が設けてあり、端部より解放方向に横軸を設け固定具と接続し、下側の収束端は、横軸により連接され、下部横軸は縦軸との連接部を支点とした上反角を有し、収束端手前を支点とした返しを有する枠体を形成する懸吊具を前記スペーサーに接続し、蚊取線香容器を中空に保持することを特徴とする蚊取線香容器カバー。
【請求項２】
外縁に三箇所の半月状に突出した脚部を等間隔に設けてあることを特徴とする請求項１記載の蚊取線香容器カバー。
【請求項３】
カバーがホーローコーティングされていることを特徴とする請求項１または２記載の蚊取線香容器カバー。
【発明の詳細な説明】
【技術分野】
【０００１】  本発明は、蚊取線香を屋外で使用するための蚊取線香容器カバーに関するものである。
【背景技術】
【０００２】  屋外で蚊取線香を使用する場合、住宅の玄関ドアからの蚊の侵入を防止するために玄関ポーチ上に設置したり、屋外犬のフィラリア対策として犬小屋の近傍に設置される。皿状の金属製の容器において外縁より側壁を設け排煙口を複数設けた金属製の蓋体が着脱自在に嵌着され、容器底部に不燃マットが載置された蚊取線香容器が知られている。また、雨避け対策がなされた蚊取線香容器（特許文献１）や蚊取線香容器カバー（特許文献２）が開示されている。
【先行技術文献】
【特許文献】
【０００３】
【特許文献１】特開平１１−３１８３０８号公報
【特許文献２】特開２００８−２４７８８０号公報
【発明の概要】
【発明が解決しようとする課題】
【０００４】  そのために、次のような問題点があった。
蚊取線香容器や蚊取線香容器カバーが雨対策がなされていなければ、突然の降雨があった場合、蚊取線香は失火してしまう。屋外犬の場合、雨対策が施された蚊取線香容器または蚊取線香カバーに於いて側壁が垂直若しくは垂直に近かったり、突起物が設けられていれば、リードに繋がれている活動エリア内に設置するとリードが引っかかり、移動あるいは転倒する恐れがある。また、排煙口に対し蚊取線香の設置位置が低ければ、雨の飛沫の侵入により、失火する恐れが出てくる。
本発明は以上の問題点を解決するためのものである。
【課題を解決するための手段】
【０００５】  扁平なドーム形状のカバーの外周縁沿いに複数の排煙口が設けてあり、裏面頂部にスペーサーが設けてあり、略ハの字状の横軸が上下に配置され、それぞれの解放端は縦軸により連接され、上側の収束端にはそれぞれ上方へ縦軸が設けてあり、端部より解放方向に横軸が設けてあり、固定具と接続し、下側の収束端は、横軸により連接され、下部横軸は縦軸との連接部を支点とした上反角を有し、収束端手前を支点とした返しを有する枠体を形成する懸吊具と前記スペーサーに接続し、蚊取線香容器を中空に保持し着脱自在に装着することを特徴とする蚊取線香容器カバー。
【発明の効果】
【０００６】  本考案によれば、カバーが扁平なドーム形状であるため、犬のリードが引っかかり移動、転倒することが防止できる。また、蚊取線香容器は懸吊具により排煙口より内側中空に保持されるので、降雨による雨粒や飛沫侵入による蚊取線香の失火を防止でき、さらに、カバーが扁平なドーム形状なので強度に優れ、誤って踏みつけても、変形しづらい。また、外縁に設けられた三箇所の半月状の突出部は脚部であり、三点支持のためカバーは安定した状態で設置することが出来る。さらに、カバーをホーローコーティングすることで錆の発生を防止することが出来る。
【図面の簡単な説明】
【０００７】
【図１】本発明の斜視図
【図２】本発明の上面図
【図３】本発明の下面図
【図４】本発明の断面図
【図５】本発明の一部である縣吊具のカバーを省略した状態を示す斜視図
【図６】一般に使用されている蚊取線香容器を分解して示す斜視図
【図７】一般に使用されている蚊取線香容器の断面図
【図８】本発明の一部である懸吊具に蚊取線香容器を装着する過程を示す説明図
【発明を実施するための形態】
【０００８】  以下、本発明の実施の形態を説明する。
（イ）カバー（１）について説明する。スチール製の扁平なドーム形状のカバー（１）の外周縁沿いに複数の排煙口（２）が設けてあり、外縁に半月状の突出部を等間隔に３箇所設けてあり脚部（３）とし、前記カバー（１）裏面頂部にスペーサー（６）を設けてある。
（ロ）懸吊具（５）について説明する。上下に配置された略ハの字の横軸のそれぞれの解放端は縦軸により連接され、下側の収束端は、横軸により連接され、下側の横軸は解放端を支点とした上反角を設けてあり、下側収束端手前を支点とした返し（８）を設けてあり、上側収束端より上方に縦軸を延伸させ縦軸の端部より横軸を解放側に延伸させ接続具（９）が設けてある。
（ハ）蚊取線香容器（４）について説明する。上面に開口部を有する皿状の容器（１７）と上面に複数の排煙口（１２）を有する蓋体（１１）が前記容器（１７）の開口部に嵌着され、前記容器（１７）に蚊取線香（１５）を載置するための不燃マット（１６）と不燃メッシュ（１４）が設けられた押え具（１３）を有している。
本発明は以上のような構成よりなる。
本発明を使用する場合は、予めカバー（１）と懸吊具（５）はネジ（１０）により接続しておく。カバー（１）裏面頂部に設けたスペーサー（６）は、カバー（１）と蚊取線香容器（４）との間の排煙と脱着する際の手を入れるための隙間を作るためのものである。カバー（１）を反転させ懸吊具（５）の枠体（７）の解放側より蚊取線香容器（４）を反転させ嵌入する。枠体（７）は、バネ性の鋼線からなり下部枠体（７）には上反角を設けているので、蚊取線香容器（４）は、挟持される。蚊取線香容器（４）は市販のものでも良いが装着する際、反転させる必要があるので内部で蚊取線香（１５）が遊動しないよう不燃マット（１６）と抑え具（１３）により保持されることが望ましい。蚊取線香容器（４）上面は、側方から見たとき排煙口（２）の上端に近い位置とし、上方から見た場合、排煙口の内側に位置する。さらに排煙口（２）は、持ち運ぶ際の指掛を兼ねる。カバー（１）の外縁に設けた半月状の突出部は３点支持で安定設置するための脚部（３）である。
この実施形態によれば、カバー（１）が扁平なドーム形状なので、犬のリードが引かかることは無く、降雨の際に蚊取線香容器（４）が中空に保持され且つ排煙口（２）より内側に設置されるので、雨粒及び雨の飛沫が侵入するのを防止出来る。
【符号の説明】
【０００９】  １  カバー
２  排煙口
３  脚部
４  蚊取線香容器
５  懸吊具
６  スペーサー
７  枠体
８  返し
９  接続具
１０  ネジ
１１  蓋体
１２  排煙口
１３  押え具
１４  不燃メッシュ
１５  蚊取線香
１６  不燃マット
１７  容器
【図１】
2019180380.tif 000003
【図２】
2019180380.tif 000004
【図３】
2019180380.tif 000005
【図４】
2019180380.tif 000006
【図５】
2019180380.tif 000007
【図６】
2019180380.tif 000008
【図７】
2019180380.tif 000009
【図８】
2019180380.tif 000010